(57)【要約】【課題】異なるコンテンツを表示している立体映像表示装置をどの眼鏡で見ても立体視できるようにする立体映像表示装置を提供する。【解決手段】立体映像表示装置は、表示部に表示する映像データの右眼用映像および左眼用映像の表示タイミングを決定し、表示タイミングから他の立体映像表示装置および立体映像を見る際にユーザが装着する少なくとも１つの眼鏡を同期させる同期信号を生成する同期部と、表示タイミングに基づいて、映像データの右眼用映像および左眼用映像を表示部に表示させる表示制御部と、同期部により生成された同期信号を、他の立体映像表示装置および眼鏡に送信する送信部と、を備える。【選択図】図１
2013157850.tif 000002
【特許請求の範囲】
【請求項１】
表示部に表示する映像データの右眼用映像および左眼用映像の表示タイミングを決定し、前記表示タイミングから他の立体映像表示装置および立体映像を見る際にユーザが装着する少なくとも１つの眼鏡を同期させる同期信号を生成する同期部と、
前記表示タイミングに基づいて、前記映像データの前記右眼用映像および前記左眼用映像を前記表示部に表示させる表示制御部と、
前記同期部により生成された同期信号を、他の前記立体映像表示装置および前記眼鏡に送信する送信部と、
を備える、立体映像表示装置。
【請求項２】
前記同期信号を生成するメイン機器である他の前記立体映像表示装置または前記眼鏡から送信された同期信号を受信する受信部を備え、
前記同期部は、前記受信部により前記メイン機器からの前記同期信号を受信したか否かに基づいて、前記同期信号の生成および送信を制御する、請求項１に記載の立体映像表示装置。
【請求項３】
前記同期部は、前記受信部により前記同期信号が受信されたとき、受信した当該同期信号に基づいて、映像データの右眼用映像および左眼用映像の表示タイミングを決定し、当該表示タイミングを前記表示制御部に出力する、請求項２に記載の立体映像表示装置。
【請求項４】
前記同期部は、前記受信部により前記同期信号が受信されないとき、前記同期信号を生成させ、生成された前記同期信号に基づいて前記表示タイミングを決定して前記表示制御部に出力するとともに、前記送信部に前記同期信号を出力する、請求項２に記載の立体映像表示装置。
【請求項５】
前記同期信号を生成するメイン機器である他の前記立体映像表示装置または前記眼鏡から送信された同期信号を受信する受信部を備え、
前記メイン機器からの同期信号の受信がないとき、
前記送信部は、当該立体映像表示装置と通信中の前記眼鏡の数を通信可能な他の前記立体映像表示装置に対して送信し、
前記受信部は、前記他の立体映像表示装置から当該他の立体映像表示装置が通信中の前記眼鏡の数を受信し、
前記同期信号制御部は、前記眼鏡の数が前記他の立体映像表示装置が通信中の前記眼鏡の数より多いとき、前記同期信号を生成する、請求項１に記載の立体映像表示装置。
【請求項６】
前記同期信号を生成するメイン機器である他の前記立体映像表示装置または前記眼鏡から送信された同期信号を受信する受信部を備え、
前記メイン機器からの同期信号の受信がないとき、
前記送信部は、前記メイン機器との距離を、前記メイン機器以外の前記立体映像表示装置および前記眼鏡へ送信し、
前記受信部は、前記メイン機器以外の前記立体映像表示装置および前記眼鏡から前記メイン機器との距離を受信し、
前記同期信号制御部は、前記メイン機器との距離が前記他の立体映像表示装置および前記眼鏡の前記メイン機器との距離より小さいとき、前記同期信号を生成する、請求項１に記載の立体映像表示装置。
【請求項７】
前記メイン機器との距離は、前記メイン機器から受信した前記同期信号の受信強度に基づいて決定される、請求項６に記載の立体映像表示装置。
【請求項８】
前記同期信号を生成するメイン機器である他の前記立体映像表示装置または前記眼鏡から送信された同期信号を受信する受信部を備え、
前記メイン機器からの同期信号の受信がないとき、
前記同期信号制御部は、予め設定された優先順位に基づいて、前記同期信号の生成および送信を行うか否かを判定する、請求項１に記載の立体映像表示装置。
【請求項９】
前記同期信号を生成するメイン機器である他の前記立体映像表示装置または前記眼鏡以外の、他の前記立体映像表示装置または前記眼鏡から送信された同期信号を受信可能な受信部を備え、
前記同期部は、前記受信部により前記メイン機器でない機器からの前記同期信号を受信したか否かに基づいて、前記同期信号の生成および送信を制御する、請求項１に記載の立体映像表示装置。
【請求項１０】
他の前記立体映像表示装置および前記眼鏡のうち少なくともいずれか１つと、双方向に送受信可能である、請求項２に記載の立体映像表示装置。
【請求項１１】
立体映像を表示可能な立体映像表示装置と、前記各立体映像表示装置により表示される立体映像を見る際にユーザが装着するシャッター方式の眼鏡との同期を取る同期信号を生成するメイン機器から同期信号を受信する受信部と、
前記同期信号に基づいて、右眼用シャッターおよび前記左眼用シャッターの開閉タイミングを制御するシャッター制御部と、
を備える、眼鏡。
【請求項１２】
前記同期信号を生成する同期部と、
前記同期信号を他の前記立体映像表示装置および前記眼鏡に送信する送信部と、
をさらに備える、請求項１１に記載の眼鏡。
【請求項１３】
前記同期部は、前記受信部により前記メイン機器からの前記同期信号を受信したか否かに基づいて、前記同期信号の生成および送信を制御する、請求項１２に記載の眼鏡。
【請求項１４】
前記同期部は、前記受信部により前記同期信号が受信されたとき、受信した当該同期信号に基づいて、前記右眼用シャッターおよび前記左眼用シャッターの開閉タイミングを決定し、当該開閉タイミングを前記シャッター制御部に出力する、請求項１３に記載の眼鏡。
【請求項１５】
前記同期部は、前記受信部により前記同期信号が受信されないとき、前記同期信号生成部に対して前記同期信号を生成させ、生成された前記同期信号に基づいて前記開閉タイミングを決定して前記シャッター制御部に出力するとともに、前記送信部に前記同期信号を出力する、請求項１３に記載の眼鏡。
【請求項１６】
前記受信部は、前記メイン機器以外の他の前記立体映像表示装置または前記眼鏡から送信される同期信号も受信可能である、請求項１１に記載の眼鏡。
【請求項１７】
立体映像を表示可能な複数の立体映像表示装置と、前記各立体映像表示装置により表示される立体映像を見る際にユーザが装着する少なくとも１つのシャッター方式の眼鏡と、のうち少なくともいずれか１つにより、前記立体映像表示装置および前記眼鏡の同期を取るための同期信号を生成するステップと、
生成された前記同期信号を他の前記立体映像表示装置および前記眼鏡に送信するステップと、
受信した前記同期信号に基づいて、前記各立体映像表示装置の表示制御および前記眼鏡のシャッター制御を行うステップと、
を含む、同期方法。
【請求項１８】
立体映像を表示可能な複数の立体映像表示装置と、
前記各立体映像表示装置により表示される立体映像を見る際にユーザが装着する少なくとも１つのシャッター方式の眼鏡と、
からなり、
前記立体映像表示装置または前記眼鏡のうち少なくともいずれか１つは、
前記立体映像表示装置および前記眼鏡の同期を取るための同期信号を生成する同期部と、
前記同期信号を他の前記立体映像表示装置および前記眼鏡に送信する送信部と、
を備える、立体画像システム。
【発明の詳細な説明】
【技術分野】
【０００１】
本開示は、３次元画像を表示可能な立体映像表示装置、立体映像観賞用の眼鏡、これらの同期方法および立体画像システムに関する。
【背景技術】
【０００２】
近年、テレビ番組や映画、ゲーム等の画像を表示する表示装置として、被写体を縦横の情報に奥行感を持たせて３次元で表現した立体画像を表示可能な３Ｄディスプレイ等の表示装置が普及しつつある。３次元画像は、人間が両目で物を見る仕組みを利用して視聴者に奥行感や立体感を認識させることで、リアリティや臨場感の表現を可能にしている。
【０００３】
３次元画像を表示する立体映像表示装置の方式としては、フレームシーケンシャル方式や裸眼方式、パッシブ方式等がある。このうち、フレームシーケンシャル方式では、表示装置側で右眼用の映像と左眼用の映像とを交互に表示し、それぞれの表示タイミングに合わせて、同期信号により３次元画像を見るための眼鏡の右眼用シャッターおよび左眼用シャッターの開閉タイミングを制御する。こうして右眼と左眼とに対応する映像をそれぞれ見せ、これを高速に繰り返すことで、脳に３次元画像として知覚させている。
【先行技術文献】
【特許文献】
【０００４】
【特許文献１】特開２００３−１６８１３６号公報
【発明の概要】
【発明が解決しようとする課題】
【０００５】
フレームシーケンシャル方式で立体視を可能とするためには、表示装置における画像の表示タイミングと眼鏡のシャッターの開閉タイミングとが同期している必要がある。この調整がずれると映像に対する違和感をユーザに持たせてしまう。このため、通常、眼鏡は１つの表示装置としか同期することができず、他の表示装置に表示されている３次元画像を同一眼鏡で視聴することはできなかった。
【０００６】
例えば、特許文献１には、複数の表示装置に表示される同一の３次元画像のコンテンツを同一眼鏡で視聴できる立体画像システムが開示されている。しかし、この立体画像システムでは各表示装置に表示されるコンテンツが同一である場合を想定しているため、コンテンツが異なる場合に適用することはできない。このため、異なるコンテンツを表示している立体映像表示装置をどの眼鏡で見ても立体視できるようにすることが望まれている。
【課題を解決するための手段】
【０００７】
本開示によれば、表示部に表示する映像データの右眼用映像および左眼用映像の表示タイミングを決定し、表示タイミングから他の立体映像表示装置および立体映像を見る際にユーザが装着する少なくとも１つの眼鏡を同期させる同期信号を生成する同期部と、表示タイミングに基づいて、映像データの右眼用映像および左眼用映像を表示部に表示させる表示制御部と、同期部により生成された同期信号を、他の立体映像表示装置および眼鏡に送信する送信部と、を備える、立体映像表示装置が提供される。
【０００８】
また、本開示によれば、立体映像を表示可能な立体映像表示装置と、各立体映像表示装置により表示される立体映像を見る際にユーザが装着するシャッター方式の眼鏡との同期を取る同期信号を生成するメイン機器から同期信号を受信する受信部と、同期信号に基づいて、右眼用シャッターおよび左眼用シャッターの開閉タイミングを制御するシャッター制御部と、を備える、眼鏡が提供される。
【０００９】
さらに、本開示によれば、立体映像を表示可能な複数の立体映像表示装置と、各立体映像表示装置により表示される立体映像を見る際にユーザが装着する少なくとも１つのシャッター方式の眼鏡と、のうち少なくともいずれか１つにより、立体映像表示装置および眼鏡の同期を取るための同期信号を生成するステップと、生成された同期信号を他の立体映像表示装置および眼鏡に送信するステップと、受信した同期信号に基づいて、各立体映像表示装置の表示制御および眼鏡のシャッター制御を行うステップと、を含む、同期方法が提供される。
【００１０】
また、本開示によれば、立体映像を表示可能な複数の立体映像表示装置と、各立体映像表示装置により表示される立体映像を見る際にユーザが装着する少なくとも１つのシャッター方式の眼鏡と、からなり、立体映像表示装置または眼鏡のうち少なくともいずれか１つは、立体映像表示装置および眼鏡の同期を取るための同期信号を生成する同期部と、同期信号を他の立体映像表示装置および眼鏡に送信する送信部と、を備える、立体画像システムが提供される。
【発明の効果】
【００１１】
以上説明したように本開示によれば、異なるコンテンツを表示している立体映像表示装置をどの眼鏡で見ても立体視できるようにすることが可能となる。
【図面の簡単な説明】
【００１２】
【図１】本開示の第１の実施形態に係る立体画像システムの構成を示すシステム構成図である。
【図２】送信部を備える立体映像表示装置の一構成例を示すブロック図である。
【図３】送信部のない立体映像表示装置の一構成例を示すブロック図である。
【図４】送信機のないメガネの一構成例を示すブロック図である。
【図５】同実施形態に係るメイン機器となり得る立体映像表示装置の同期処理を示すフローチャートである。
【図６】同実施形態に係る同期信号送信機能を有していない立体映像表示装置の同期処理を示すフローチャートである。
【図７】同実施形態に係る立体画像システムの一具体的構成例を示す説明図である。
【図８】図７に示す立体画像システムにおいて、メイン機器の切り替わりを示す説明図である。
【図９】本開示の第２の実施形態に係る立体画像システムの構成を示す説明図である。
【図１０】メイン機器として機能するメガネの構成を示すブロック図である。
【図１１】立体画像システムにおいてメイン機器と他の機器とが１対多数通信する場合を示すシステム構成図である。
【図１２】立体画像システムを構成する各機器が多数対多数通信する場合を示すシステム構成図である。
【図１３】メインフラグのセット処理を示すフローチャートである。
【図１４】図５の処理をメインフラグを用いて行う場合の処理を示すフローチャートである。
【図１５】立体映像表示装置の周囲にあるメガネ数に基づいてメイン機器を決定する処理を説明するための説明図である。
【図１６】立体映像表示装置の周囲にあるメガネ数に基づいてメイン機器を決定する処理を示すフローチャートである。
【図１７】メイン機器として機能していた立体映像表示装置に最も近い立体映像表示装置をメイン機器に決定する処理を説明するための説明図である。
【図１８】メイン機器として機能していたメガネに最も近いメガネをメイン機器に決定する処理を説明するための説明図である。
【図１９】メイン機器として機能していた機器との距離に基づきメイン機器を決定する処理を示すフローチャートである。
【図２０】優先度に基づきメイン機器に決定する処理を説明するための説明図である。
【図２１】図２０のメイン機器の電源がオフとなった場合の、優先度に基づきメイン機器に決定する処理を説明するための説明図である。
【図２２】優先度に基づきメイン機器を決定する処理を示すフローチャートである。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．第１の実施形態
１‐１．立体画像システム構成（立体画像システム、立体映像表示装置、メガネ）
１‐２．立体画像システムの同期処理（メイン機器となり得る立体映像表示装置の同期処理、メイン機器からの同期信号に基づき動作する立体映像表示装置の同期処理、適用例）
２．第２の実施形態
３．立体画像システムにおける通信
４．メイン機器の決定
４−１．メイン機器の判定処理
４−２．メイン機器の決定処理（立体映像表示装置の周囲にあるメガネ数に基づくメイン機器の決定、メイン機器として機能していた機器との距離に基づくメイン機器の決定、優先度に基づくメイン機器の決定）
【００１５】
＜１．第１の実施形態＞
［１‐１．立体画像システム構成］
まず、図１〜図４を参照して、本開示の第１の実施形態に係る立体画像システム１の構成について説明する。なお、図１は、本実施形態に係る立体画像システム１の構成を示すシステム構成図である。図２は、送信部１５０を備える立体映像表示装置１００の一構成例を示すブロック図である。図３は、送信部のない立体映像表示装置１００の一構成例を示すブロック図である。図４は、送信機のないメガネ２００の一構成例を示すブロック図である。
【００１６】
（立体画像システム）
立体画像システム１は、３次元画像を表示可能な複数の立体映像表示装置１００と、少なくとも１つの眼鏡２００とから構成され、例えば図１に示すように、複数の立体映像表示装置１００Ａ〜１００Ｅと、複数のメガネ（眼鏡）２００Ａ〜２００Ｃとから構成することができる。立体画像システム１を構成する立体映像表示装置１００およびメガネ２００の数はかかる例に限定されない。立体画像システム１を構成する各機器は、少なくとも同期信号を出力するメイン機器と通信可能である。通信は、無線ＬＡＮ（Ｌｏｃａｌ  Ａｒｅａ  Ｎｅｔｗｏｒｋ）やワイヤレスＵＳＢ等による無線通信であってもよく、ケーブル接続等による有線通信であってもよい。
【００１７】
立体映像表示装置１００は、表示部に同期信号に基づき決定される表示タイミングで３次元画像を表示する出力装置である。本実施形態の立体画像システム１を構成する各立体映像表示装置１００は、同一のコンテンツを表示することもでき、それぞれ異なるコンテンツを表示することもできる。立体映像表示装置１００に表示された３次元画像を立体視するためのメガネ２００は、同期信号に基づき決定される開閉タイミングでシャッターが開閉される。
【００１８】
立体画像システム１を構成する立体映像表示装置１００およびメガネ２００のうちいずれか１つは、立体映像表示装置１００における画像の表示タイミングおよびメガネ２００のシャッターの開閉タイミングを決定する同期信号を生成し、各機器へ送信する。以下では、同期信号を生成して送信する立体映像表示装置１００またはメガネ２００をメイン機器と称する。例えば、図１に示す例では、立体映像表示装置１００Ａがメイン機器として機能している。他の立体映像表示装置１００Ｂ〜１００Ｅおよびメガネ２００Ａ〜２００Ｃは、メイン機器から送信される同期信号に基づき、表示タイミングあるいは開閉タイミングを決定して動作する。
【００１９】
このように、立体画像システム１では、同期信号を生成し送信可能なメイン機器が１つ存在し、メイン機器から送信される同期信号に基づき他の機器が動作する。これにより、どのメガネ２００Ａ〜２００Ｃでどの立体映像表示装置１００Ａ〜１００Ｅの表示する３次元画像を見ても、違和感なく３次元画像を立体視することができる。
【００２０】
（立体映像表示装置）
立体映像表示装置１００の構成について詳細に説明すると、まず、同期信号を生成して送信可能な立体映像表示装置１００は、図２に示すように、受信部１１０と、同期信号制御／生成部１２０と、表示制御部１３０と、表示部１４０と、送信部１５０とを備える。同期信号を生成して送信可能な立体映像表示装置１００は、メイン機器として機能できる装置である。
【００２１】
受信部１１０は、右眼用映像と左眼用映像とを表示させる表示タイミングを決定する同期信号を受信する。受信部１１０は、同期信号を受信した場合には、当該同期信号を同期信号制御／生成部１２０へ出力する。
【００２２】
同期信号制御／生成部１２０は、同期信号に基づき右眼用映像と左眼用映像とを表示される表示タイミングを決定する。同期信号制御／生成部１２０は、受信部１１０により同期信号が受信されたときには、受信した同期信号に基づき表示タイミングを決定し、表示制御部１３０へ出力する。また、同期信号制御／生成部１２０は、受信部１１０により同期信号が受信されないことを検知すると、同期信号を生成して、生成した同期信号に基づき決定した表示タイミングを表示制御部１３０へ出力するとともに、同期信号を送信部１５０へ出力する。
【００２３】
表示制御部１３０は、同期信号制御／生成部１２０により決定された表示タイミングで、入力映像データを表示する。入力映像データは、外部入力もしくは内部のストレージから読み出された映像データであり、表示制御部１３０によって表示部１４０に表示する右眼用または左眼用のフレーム（映像）のタイミングで入力映像データの表示制御を行う。
【００２４】
表示部１４０は、入力映像データを表示する出力部の１つであり、例えば、液晶ディスプレイや有機ＥＬディスプレイ等を用いることができる。表示部１４０は、表示タイミングに基づき表示されるように表示制御部１３０により制御された入力映像データの右眼用映像および左眼用映像を交互に表示する。
【００２５】
送信部１５０は、同期信号制御／生成部１２０により生成された同期信号を、立体画像システム１を構成する他の機器へ送信する。
【００２６】
一方、立体映像表示装置１００には、同期信号の送信ができないものもあり、例えば図３に示すような構成をする。すなわち、このような立体映像表示装置１００は、受信部１１０と、表示制御部１３０と、表示部１４０とからなる。立体映像表示装置１００は、受信部１１０により受信された同期信号に基づき、表示制御部１３０は入力映像データの表示タイミングを合わせて表示部１４０に表示させる。同期信号制御／生成部１２０および送信部１５０を備えていないこと以外は、図２に示す立体映像表示装置１００と同様に機能する。このように同期信号を送信するための送信部１５０を備えていない立体映像表示装置１００は、メイン機器として機能することはできない。
【００２７】
（メガネ）
立体映像表示装置１００により表示される３次元画像をみるためのメガネ２００は、例えば図４に示すような構成を有する。すなわち、メガネ２００は、受信部２１０と、シャッター制御部２２０と、右眼用シャッター２３０と、左眼用シャッター２４０とを備える。
【００２８】
受信部２１０は、右眼用シャッター２３０および左眼用シャッター２４０の開閉タイミングを決定するために用いる、メイン機器から送信された同期信号を受信する。受信部２１０は、受信した同期信号をシャッター制御部２２０へ出力する。
【００２９】
シャッター制御部３３０は、同期信号に基づく開閉タイミングで右眼用シャッター２３０および左眼用シャッター２４０の開閉を制御する。これにより、立体映像表示装置１００に右眼用映像が表示されているときには、右眼用シャッター２３０が開かれ、左眼用シャッター２４０が閉じられる。また、立体映像表示装置１００に左眼用映像が表示されているときには、左眼用シャッター２４０が開かれ、右眼用シャッター２３０が閉じられる。
【００３０】
なお、後述するように、メガネ２００も同期信号を生成して送信する機能を備えることもでき、この場合、メガネ２００も立体画像システム１のメイン機器として機能することができる。
【００３１】
［１‐２．立体画像システムの同期処理］
以下、図５〜図８に基づいて、本実施形態に係る立体画像システム１を構成する各機器の同期処理を説明する。なお、図５は、本実施形態に係るメイン機器となり得る立体映像表示装置１００の同期処理を示すフローチャートである。図６は、本実施形態に係る同期信号送信機能を有していない立体映像表示装置１００の同期処理を示すフローチャートである。図７および図８は、本実施形態に係る立体画像システム１の一具体的構成例を示す説明図である。
【００３２】
（メイン機器となり得る立体映像表示装置の同期処理）
まず、図５に基づいて、メイン機器となり得る立体映像表示装置１００の同期処理について説明する。すなわち、図５では、図２に示すような構成を有する立体映像表示装置１００の同期処理を示している。
【００３３】
立体映像表示装置１００は、まず、受信部１１０による同期信号の受信を試みる（Ｓ１００）。そして、同期信号制御／生成部１２０は、ステップ１００にて他の機器から同期信号を受信できるか否かを確認する（Ｓ１０１）。すなわち、ステップＳ１０１では、立体映像表示装置１００は、自身が属する立体画像システム１にて既にメイン機器として機能する機器が存在しているか否かを確認している。
【００３４】
ステップＳ１０１にて同期信号が受信できないと判定したときには、同期信号制御／生成部１２０は、立体画像システム１の同期をとるための同期信号を生成し、送信部１５０を介して他の機器へ出力する（Ｓ１０２）。すなわち、当該立体映像表示装置１００が立体画像システム１のメイン機器として機能する。このとき、同期信号制御／生成部１２０は、生成した同期信号に基づいて入力映像データを表示する表示タイミングを決定し、表示制御部１３０へ出力する。一方、ステップＳ１０１にて同期信号を受信できると判定した場合には、同期信号制御／生成部１２０は、受信した同期信号に基づいて入力映像データを表示する表示タイミングを決定し、表示制御部１３０へ出力する。
【００３５】
その後、表示制御部１３０は、決定された表示タイミングに基づき、入力画像データの右眼用映像および左眼用映像を交互に表示部１４０に表示させることで、立体画像システム１の他の機器との同期をとる（Ｓ１０３）。こうして、表示部１４０には、立体映像が表示される（Ｓ１０４）。ステップＳ１００〜Ｓ１０４の処理は、当該立体映像表示装置１００による入力映像データの表示が終了するまで繰り返し行われる（Ｓ１０５）。なお、繰り返し行う間隔は、例えば所定時間毎（例えば１０秒）でもよく、再生している映像データのシーンが変わる時（例えば、真っ暗から明るくなる時や、映像データに設定されているチャプターの境界など）でもよく、ユーザに指定された時間間隔でもよい。あるいは、接続される立体映像表示装置または眼鏡の数が変化した時でもよく、接続している立体映像表示装置と眼鏡の距離が大きく（例えば元の距離の５０％以上）変化した時でもよく、後述される優先度の設定が変更される時でもよい。また、これより以下の説明にある繰り返り行う処理も同様である。
【００３６】
（メイン機器からの同期信号に基づき動作する立体映像表示装置の同期処理）
次に、図６に基づいて、メイン機器からの同期信号に基づき動作する立体映像表示装置１００の同期処理について説明する。すなわち、図６では、図３に示すような同期信号制御／生成部１２０および送信部１５０を有していない構成の立体映像表示装置１００の同期処理を示している。
【００３７】
このような立体映像表示装置１００は、まず、受信部１１０による同期信号の受信を試みる（Ｓ１１０）。そして、ステップ１１０にて他の機器から同期信号を受信できるか否かを確認する（Ｓ１１１）。同期信号を生成できない立体映像表示装置１００は、同期信号を常に受信することで立体画像システム１を構成する他の機器と同期して機能する。
【００３８】
ステップＳ１１１にて同期信号を受信できると判定した場合には、表示制御部１３０は、受信した同期信号に基づいて入力映像データを表示する表示タイミングで入力画像データの右眼用映像および左眼用映像を交互に表示部１４０に表示させる。これにより、立体画像システム１の他の機器との同期をとり（Ｓ１１２）、表示部１４０に立体映像を表示させる（Ｓ１１３）。ステップＳ１１０〜Ｓ１１３の処理は、当該立体映像表示装置１００による入力映像データの表示が終了するまで繰り返し行われる（Ｓ１１４）。
【００３９】
一方、同期信号が受信できないと判定したときには、表示制御部１３０は、例えば、予め設定された所定の表示タイミングで立体映像データを表示部１４０に表示させる。この場合、立体画像システム１を構成する他の機器との同期がとれていない可能性があるが、立体映像データの表示を継続して行う場合（Ｓ１１４）、ステップＳ１１０〜Ｓ１１３の処理を繰り返すうちにメイン機器から同期信号が受信できるようになれば同期をとることができる。
【００４０】
なお、本実施形態において、メガネ２００はメイン機器からの同期信号に基づき動作する。したがって、図６に示した立体映像表示装置１００の同期処理と同様に、シャッター制御部２２０は、メイン機器からの同期信号に基づいて、右眼用シャッター２３０および左眼用シャッター２４０の開閉制御を行う。同期信号の受信ができない場合には、例えば、予め設定された開閉タイミングで各シャッター２３０、２４０の開閉制御を行ってもよく、メイン機器から同期信号が受信可能となるまで、各シャッター２３０、２４０を開かないようにしてもよい。メガネ２００の受信部２１０が同期信号の受信を継続して行うことで、同期信号を受信できるようになった際に、メガネ２００を立体画像システム１の他の機器と同期して動作させることができる。
【００４１】
（適用例）
図７および図８に、図１に示す立体画像システム１の一具体的構成例を示す。図７に示すように、この立体画像システム１は、立体映像表示装置１００として、３Ｄテレビ（１００Ａ）、３Ｄ表示ＰＣ１（１００Ｂ）、３Ｄ表示ＰＣ２（１００Ｃ）および３Ｄプロジェクタ（１００Ｄ）と、３つのメガネ２００Ａ〜２００Ｃとから構成されている。このうち、３Ｄテレビ（１００Ａ）、３Ｄ表示ＰＣ１（１００Ｂ）および３Ｄ表示ＰＣ２（１００Ｃ）が同期信号を生成して送信することが可能であり、メイン機器として機能することができる。
【００４２】
立体画像システム１を構成する各機器１００Ａ〜１００Ｄ、２００Ａ〜２００Ｃのうち、１つがメイン機器として機能し、当該システムの同期をとる同期信号を生成して送信する。メイン機器は、例えば、メイン機器として機能することのできる機器のうち、最初に起動した機器とすることができる。図７に示す例では３Ｄテレビ（１００Ａ）がメイン機器として機能して同期信号を生成して送信している。他の機器１００Ｂ〜１００Ｄ、２００Ａ〜２００Ｃは、３Ｄテレビ（１００Ａ）が送信する同期信号を受信し、当該同期信号に基づいて決定される表示タイミングまたは開閉タイミングで動作する。
【００４３】
図７においてメイン機器として機能していた３Ｄテレビ（１００Ａ）の電源がオフとなると、３Ｄテレビ（１００Ａ）は同期信号を生成して送信することができなくなる。すなわち、立体画像システム１にメイン機器が存在しなくなる。この場合、立体画像システム１に属する機器のうちメイン機器となり得る他の機器が新たなメイン機器として機能するようになる。新たなメイン機器の決定は、例えば、メイン機器となり得る他の機器のうち、最初に同期信号を送信した機器とすることができる。また、後述するメインの決定方法も適用できる。図７に示す立体画像システム１において、３Ｄ表示ＰＣ２（１００Ｃ）が最初に同期信号を生成したときには、図８に示すように、３Ｄ表示ＰＣ２（１００Ｃ）が新たなメイン機器となって機能する。これにより、３Ｄ表示ＰＣ２（１００Ｃ）の生成した同期信号に基づき他の機器が動作するようになり、立体画像システム１を構成する機器を継続して同期させることができる。
【００４４】
以上、第１の実施形態に係る立体画像システム１の構成と当該システムを構成する各機器の同期処理について説明した。本実施形態によれば、立体画像システム１に属する機器のうち、同期信号を生成して送信可能な機器の１つをメイン機器とし、メイン機器から送信される同期信号に基づいて、他の機器は表示タイミングあるいは開閉タイミングを決定する。これにより、各立体映像表示装置１００は、表示する３次元画像によらず同一の表示タイミングで右眼用映像および左眼用映像を表示し、メガネ２００は表示タイミングに対応する開閉タイミングで右眼用シャッター２３０および左眼用シャッター２４０を開閉させる。したがって、どのメガネ２００でどの立体映像表示装置１００の画像をみても、立体映像を観賞することが可能となる。
【００４５】
＜２．第２の実施形態＞
次に、図９および図１０に基づいて、本開示の第２の実施形態に係る立体画像システム１について説明する。なお、図９は、本実施形態に係る立体画像システム１の構成を示す説明図である。図１０は、メイン機器として機能するメガネ２００の構成を示すブロック図である。
【００４６】
本実施形態に係る立体画像システム１では、メガネ２００がメイン機器として機能する。すなわち、図９に示すように、例えば複数の立体映像表示装置１００Ａ〜１００Ｅと、メガネ２００Ａ〜２００Ｃとから構成される立体画像システム１において、メガネ１（２００Ａ）がメイン機器として機能する。
【００４７】
このとき、メイン機器となり得るメガネ２００は、メイン機器となり得る立体映像表示装置１００と同様に、同期信号を生成して送信可能であることが必要である。このようなメガネ２００は、例えば図１０のように、受信部２１０と、シャッター制御部２２０と、右眼用シャッター２３０および左眼用シャッター２４０とに加えて、同期信号制御／生成部２５０と、送信部２６０とを備える。受信部２１０、シャッター制御部２２０、右眼用シャッター２３０および左眼用シャッター２４０は、図４に示した第１の実施形態におけるメガネ２００と同一構成および同一機能とすることができる。
【００４８】
同期信号制御／生成部２５０は、同期信号に基づき右眼用シャッター２３０と左眼用シャッター２４０とを開閉する開閉タイミングを決定する。同期信号制御／生成部２５０は、受信部２１０により同期信号が受信されたときには、受信した同期信号に基づき開閉タイミングを決定し、シャッター制御部２２０へ出力する。また、同期信号制御／生成部２５０は、受信部２１０により同期信号が受信されないことを検知すると、同期信号を生成して、生成した同期信号に基づき決定した開閉タイミングをシャッター制御部２２０へ出力するとともに、同期信号を送信部２６０へ出力する。
【００４９】
送信部２６０は、同期信号制御／生成部２５０により生成された同期信号を、立体画像システム１を構成する他の機器へ送信する。
【００５０】
このようなメガネ２００は、第１の実施形態で説明した、図５のメインとなり得る立体映像表示装置１００の同期処理と同様に機能する。すなわち、メガネ２００は、まず、受信部２１０による同期信号の受信を試みる。そして、同期信号制御／生成部２５０は、他の機器から同期信号を受信できるか否かを確認する。ここでは、メガネ２００は、自身が属する立体画像システム１にて既にメイン機器として機能する機器が存在しているか否かを確認している。
【００５１】
受信部２１０にて同期信号が受信できないと判定したときには、同期信号制御／生成部２５０は、立体画像システム１の同期をとるための同期信号を生成し、送信部２６０を介して他の機器へ出力する。すなわち、当該メガネ２００が立体画像システム１のメイン機器として機能する。このとき、同期信号制御／生成部２５０は、生成した同期信号に基づいて各シャッター２３０、２４０の開閉タイミングを決定し、シャッター制御部２２０へ出力する。一方、受信部２１０にて同期信号を受信できると判定した場合には、同期信号制御／生成部２５０は、受信した同期信号に基づいて各シャッター２３０、２４０の開閉タイミングを決定し、シャッター制御部２２０へ出力する。
【００５２】
その後、シャッター制御部２２０は、決定された開閉タイミングに基づき、右眼用シャッター２３０および左眼用シャッター２４０を交互に開閉させ、立体画像システム１の他の機器との同期をとる。こうして、立体映像表示装置１００に表示される立体映像を観賞することができるようになる。これらの処理は、メガネ２００の使用が終了するまで繰り返し行われる。
【００５３】
以上、第２の実施形態に係る立体画像システム１の構成と当該システムを構成する各機器の同期処理について説明した。本実施形態によれば、立体画像システム１に属する機器のうち、同期信号を生成して送信可能な機器の１つであるメガネ２００をメイン機器とし、メイン機器から送信される同期信号に基づいて、他の機器は表示タイミングあるいは開閉タイミングを決定する。これにより、各立体映像表示装置１００は、表示する３次元画像によらず同一の表示タイミングで右眼用映像および左眼用映像を表示し、メガネ２００は表示タイミングに対応する開閉タイミングで右眼用シャッター２３０および左眼用シャッター２４０を開閉させる。したがって、どのメガネ２００でどの立体映像表示装置１００の画像をみても、立体映像を観賞することが可能となる。
【００５４】
＜３．立体画像システムにおける通信＞
上記実施形態では、立体画像システム１を構成する各機器は、少なくとも同期信号を送信するメイン機器から同期信号を受信可能に構成されていたが、本技術はかかる例に限定されない。例えば、図１１に示すように、立体画像システム１を構成する各機器が、メイン機器と双方向に通信できてもよい。すなわち、メイン機器である立体映像表示装置１００Ａと他の機器（立体映像表示装置１〜４（１００Ｂ〜１００Ｅ）およびメガネ１〜３（２００Ａ〜２００Ｃ））とがそれぞれ信号を送受信できるようにしてもよい（１対多数通信）。これにより、メイン機器は、例えば、同期信号の受信可否についての応答信号を他の機器から受信することが可能となり、応答信号に基づき同期信号の強度を調整することが可能となる。
【００５５】
あるいは、図１２に示すように、立体画像システム１を構成するメイン機器以外の機器間で通信可能にしてもよい（多数対多数通信）。これにより、立体画像システム１に属する機器がメイン機器から直接同期信号を受信できなくとも、通信可能な機器から同期信号を受信できるようにすることで、立体画像システム１の機器を同期させることができる。
【００５６】
例えば、立体映像表示装置１（１００Ｂ）およびメガネ１（２００Ａ）はメイン機器である立体映像表示装置（１００Ａ）から同期信号を直接受信して、表示タイミングあるいは開閉タイミングを決定する。一方、メイン機器と直接通信できない立体映像表示装置２〜４（１００Ｃ〜１００Ｅ）およびメガネ２、３（２００Ｂ、２００Ｃ）は、通信可能な他の機器から同期信号を受信して、表示タイミングあるいは開閉タイミングを決定する。このように、立体画像システム１内に少なくとも１つの機器と通信可能であれば、同期信号を受信して、当該システム１内の他の機器と同期して動作することが可能となる。さらに、メイン機器またはメイン機器以外の機器から同期信号を受信できない場合、自身がメイン機器として機能できるときには、同期信号を生成して送信するようにしてもよい。
【００５７】
＜４．メイン機器の決定＞
［４−１．メイン機器の判定処理］
上記実施形態で説明したように、同期信号を生成して送信可能な機器はメイン機器として機能できる。このとき、自身がメイン機器であるか否かを判定するための方法として、メインフラグを用いることが考えられる。メインフラグは、自身がメイン機器であるか否かを判定するために用いる情報であり、例えば、自身がメイン機器である場合はメインフラグに「１」をセットし、メイン機器ではない場合はメインフラグに「０」をセットする。
【００５８】
メインフラグのセットは、例えば図１３に示す処理に基づき行われる。まず、立体映像表示装置１００またはメガネ２００は自身がメイン機器となり得る条件を満たすか否かを判定する（Ｓ２００）。メイン機器となり得る条件は、例えば他の機器から同期信号を受信できるか否か、すなわち既にメイン機器として機能する機器があるか否かとすることができる。具体的には、受信部１１０（または２１０）にて同期信号を受信したか否かによって判定することができる。
【００５９】
ステップＳ２００にて同期信号が受信されないときには、自身がメイン機器として機能することを決定し、メインフラグに「１」をセットする（Ｓ２０１）。一方、ステップＳ２００にて同期信号が受信されたときには、自身はメイン機器として機能しないので、メインフラグに「０」をセットする（Ｓ２０２）。ステップＳ２０１またはＳ２０２にてメインフラグに値をセットすると、自身の動作を終了するか否かを判定し（Ｓ２０３）、動作し続ける間は、ステップＳ２００〜Ｓ２０２の処理を繰り返す。
【００６０】
メインフラグを用いることで、第１の実施形態で説明した図５の立体映像表示装置１００の同期処理は図１４のように行うことができる。すなわち、立体映像表示装置１００は、まず、受信部１１０による同期信号の受信を試みる（Ｓ２１０）。そして、同期信号制御／生成部１２０は、ステップ２１０にてメインフラグが「１」であるか否かを確認する（Ｓ２１１）。すなわち、ステップＳ２１１で、立体映像表示装置１００は、自身がメイン機器あるか否かを確認する。
【００６１】
メインフラグが「１」であるとき、自身はメイン機器として機能している。したがって、同期信号制御／生成部１２０は、立体画像システム１の同期をとるための同期信号を生成し、送信部１５０を介して他の機器へ出力する（Ｓ２１２）。このとき、同期信号制御／生成部１２０は、生成した同期信号に基づいて入力映像データを表示する表示タイミングを決定し、表示制御部１３０へ出力する。一方、メインフラグが「１」でないとき（すなわち、「０」であるとき）、自身はメイン機器ではないので、同期信号制御／生成部１２０は、受信した同期信号に基づいて入力映像データを表示する表示タイミングを決定し、表示制御部１３０へ出力する。
【００６２】
その後、表示制御部１３０は、決定された表示タイミングに基づき、入力画像データの右眼用映像および左眼用映像を交互に表示部１４０に表示させることで、立体画像システム１の他の機器との同期をとる（Ｓ２１３）。こうして、表示部１４０には、立体映像が表示される（Ｓ２１４）。ステップＳ２１０〜Ｓ２１４の処理は、当該立体映像表示装置１００による入力映像データの表示が終了するまで繰り返し行われる（Ｓ２１５）。
【００６３】
［４−２．メイン機器の決定処理］
立体画像システム１にてメイン機器として機能できる機器が複数存在する場合、例えば立体映像表示装置の周囲にあるメガネ数や、メイン機器として機能していた機器との距離、優先度等に基づきメイン機器を決定することができる。以下、メイン機器の決定処理について説明する。
【００６４】
（立体映像表示装置の周囲にあるメガネ数に基づくメイン機器の決定）
まず、図１５および図１６に基づいて、立体映像表示装置１００の周囲にあるメガネ数に基づいてメイン機器を決定する場合を説明する。なお、図１５は、立体映像表示装置１００の周囲にあるメガネ数に基づいてメイン機器を決定する処理を説明するための説明図である。図１６は、立体映像表示装置１００の周囲にあるメガネ数に基づいてメイン機器を決定する処理を示すフローチャートである。
【００６５】
立体映像表示装置１００の周囲にあるメガネ数が多いとき、その立体映像表示装置１００の表示する立体映像は多くのユーザによって観賞されていると考えられる。このような立体映像表示装置１００は、電源がオフである可能性も低い。そこで、立体映像表示装置１００の周囲にあるメガネ数が最大の立体映像表示装置１００をメイン機器として決定することが考えられる。
【００６６】
例えば、図１５に示すように、立体画像システム１を構成する立体映像表示装置１００として、３Ｄテレビ（１００Ａ）、３Ｄ表示ＰＣ１（１００Ｂ）、３Ｄ表示ＰＣ２（１００Ｃ）および３Ｄプロジェクタ（１００Ｄ）があるとする。このとき、３Ｄテレビ（１００Ａ）および３Ｄ表示ＰＣ１（１００Ｂ）はメガネ１（２００Ａ）のみと通信しており、３Ｄ表示ＰＣ２（１００Ｃ）はメガネ１〜３（２００Ａ〜２００Ｃ）と通信している。また、３Ｄプロジェクタ（１００Ｄ）はメガネ３（２００Ｃ）のみと通信している。これより、最も注目されていると考えられる３Ｄ表示ＰＣ２（１００Ｃ）がメイン機器として決定される。なお、この場合、図１２に示したように、立体画像システム１を構成する各機器が多数対多数通信を行うことができることが前提となる。
【００６７】
具体的には、図１６に示すように、まず、立体画像システム１を構成する各立体映像表示装置１００は、自身の通信相手機器であるメガネ２００の数をカウントして他の立体映像表示装置１００へ送信する（Ｓ２２０）。メガネ数のカウントは、例えば立体映像表示装置１００から出力された所定の信号に対して応答したメガネ２００の数によって行うことができる。この数をＮｎ（ｎは立体映像表示装置１００を識別するための番号）とする。
【００６８】
例えば、図１５の３Ｄテレビ（１００Ａ）、３Ｄ表示ＰＣ１（１００Ｂ）、３Ｄ表示ＰＣ２（１００Ｃ）および３Ｄプロジェクタ（１００Ｄ）の周囲のメガネ数を、それぞれＮ１、Ｎ２、Ｎ３およびＮ４とする。３Ｄテレビ（１００Ａ）について考えると、ステップＳ２２０で３Ｄテレビ（１００Ａ）は通信するメガネ数Ｎ１を取得し、他の機器１００Ｂ〜１００Ｄへ送信する。
【００６９】
次いで、各立体映像表示装置１００は、他の立体映像表示装置１００からそれぞれカウントされたメガネ数を受信する（Ｓ２２１）。例えば３Ｄテレビ（１００Ａ）について考えると、ステップＳ２２１で３Ｄテレビ（１００Ａ）は他の機器１００Ｂ〜１００Ｄからそれぞれが通信するメガネ数Ｎ２〜Ｎ４を受信する。
【００７０】
そして、各立体映像表示装置１００は、自身のカウントしたメガネ数と、他の立体映像表示装置１００から受信したメガネ数とを比較して、自身のカウントしたメガネ数が最大であるか否かを判定する（Ｓ２２２）。例えば３Ｄテレビ（１００Ａ）は、メガネ数Ｎ１が他の機器１００Ｂ〜１００Ｄのメガネ数Ｎ２〜Ｎ４より大きいか否かを判定する。そして、自身のカウントしたメガネ数が最大のとき、メイン機器として機能することを決定し、メインフラグに「１」をセットする（Ｓ２２３）。一方、自身のカウントしたメガネ数より多いメガネ数であった立体映像表示装置１００があるとき、自身はメイン機器としては機能せず、メインフラグに「０」をセットする（Ｓ２２４）。
【００７１】
このようにして、周囲にあるメガネ数が最大の立体映像表示装置１００をメイン機器として機能させることができる。なお、図１６の処理は、継続して繰り返し行ってもよく、メイン機器として機能していた立体映像表示装置１００からの同期信号が受信されなくなった場合に実行するようにしてもよい。
【００７２】
（メイン機器として機能していた機器との距離に基づくメイン機器の決定）
次に、図１７〜図１９に基づいて、メイン機器として機能していた機器との距離に基づいてメイン機器を決定する場合を説明する。なお、図１７は、メイン機器として機能していた立体映像表示装置１００に最も近い立体映像表示装置１００をメイン機器に決定する処理を説明するための説明図である。図１８は、メイン機器として機能していたメガネ２００に最も近いメガネ２００をメイン機器に決定する処理を説明するための説明図である。図１９は、メイン機器として機能していた機器との距離に基づきメイン機器を決定する処理を示すフローチャートである。
【００７３】
立体画像システム１においてメイン機器として機能されていた機器に最も近い機器を新たなメイン機器とすることは、立体画像システム１の構成が大きく変更されず、立体画像システム１を継続的に安定して動作させることができると考えられる。また、メイン機器が立体映像表示装置１００であった場合、ユーザはこれに最も近い立体映像表示装置１００を注目している可能性が高い。
【００７４】
例えば、図１７に示すように、立体画像システム１を構成する立体映像表示装置１００として、３Ｄテレビ（１００Ａ）、３Ｄ表示ＰＣ１（１００Ｂ）、３Ｄ表示ＰＣ２（１００Ｃ）および３Ｄプロジェクタ（１００Ｄ）があるとする。ここで、メイン機器として機能していた３Ｄテレビ（１００Ａ）の電源がオフになったとする。このとき、３Ｄテレビ（１００Ａ）に最も近い３Ｄ表示ＰＣ１（１００Ｂ）が新たなメイン機器となり、立体画像システム１を構成する各機器に同期信号を送信するようになる。
【００７５】
また、例えば、図１８に示すように、立体画像システム１に３つのメガネ（２００Ａ〜２００Ｃ）が存在し、メガネ１（２００Ａ）がメイン機器として機能していたとする。このとき、メガネ１（２００Ａ）の電源がオフとなると、当該メガネ１（２００Ａ）に最も近いメガネ２（２００Ｂ）が新たなメイン機器となり、立体画像システム１を構成する各機器に同期信号を送信するようになる。もちろん、図１７、図１８のように、立体映像表示装置１００間のみ、あるいはメガネ２００間のみでメイン機器を切り替えなくてもよく、メイン機器となり得るすべての機器を考慮してメイン機器を切り換えてもよい。
【００７６】
具体的には、図１９に示すように、まず、立体画像システム１を構成する各機器のうちメイン機器となり得る機器は、現在のメイン機器と自身との距離を測定して他の機器へ送信する（Ｓ２３０）。現在のメイン機器と自身との距離は、例えばメイン機器から送信される同期信号の受信強度や、メイン機器に対して送信した信号に対する応答の受信時間等に基づいて測定できる。この場合、メイン機器となり得る機器は、メイン機器の電源がオフとなる前にメイン機器との距離を測定しておく。なお、メイン機器が電源をオフとした後に当該メイン機器との距離を測定可能な場合には、必ずしもメイン機器の電源がオフとなる前に距離を測定しなくてもよい。測定した距離をＬｎ（ｎは機器を識別するための番号）とする。
【００７７】
例えば、図１７において、メイン機器として機能できる３Ｄ表示ＰＣ１（１００Ｂ）および３Ｄ表示ＰＣ２（１００Ｃ）は、メイン機器である３Ｄテレビ（１００Ａ）との距離を測定する。この距離をそれぞれＬ１、Ｌ２とする。そして、３Ｄ表示ＰＣ１（１００Ｂ）および３Ｄ表示ＰＣ２（１００Ｃ）は、それぞれ測定した距離を他の機器に送信する。
【００７８】
次いで、メイン機器となり得る機器は、他の機器から、測定されたメイン機器までの距離を受信する（Ｓ２３１）。例えば、図１７の例では、３Ｄ表示ＰＣ１（１００Ｂ）は３Ｄ表示ＰＣ２（１００Ｃ）から距離Ｌ２を受信し、３Ｄ表示ＰＣ２（１００Ｃ）は３Ｄ表示ＰＣ１（１００Ｂ）から距離Ｌ１を受信する。
【００７９】
そして、各機器は、自身のメイン機器までの距離と他の機器から受信したメイン機器までの距離とを比較して、自身のメイン機器までの距離が最小であり、且つ同期信号を受信できないか否かを判定する（Ｓ２３２）。例えば３Ｄ表示ＰＣ１（１００Ｂ）は、メイン機器までの距離Ｌ１が３Ｄ表示ＰＣ２（１００Ｃ）のメイン機器までの距離Ｌ２より小さく、かつ同期信号を受信していないか否かを判定する。そして、距離Ｌ１が最小であり同期信号を受信していないとき、３Ｄ表示ＰＣ１（１００Ｂ）はメイン機器として機能することを決定し、メインフラグに「１」をセットする（Ｓ２３３）。一方、距離Ｌ１よりメイン機器に近い機器があるとき、あるいは他の機器から同期信号を受信できるときには、自身はメイン機器としては機能せず、メインフラグに「０」をセットする（Ｓ２３４）。
【００８０】
このようにして、立体画像システム１においてメイン機器として機能されていた機器に最も近い機器を新たなメイン機器として機能させることができる。なお、図１９の処理も、継続して繰り返し行ってもよく、メイン機器として機能していた立体映像表示装置１００からの同期信号が受信されなくなった場合に実行するようにしてもよい。
【００８１】
（優先度に基づくメイン機器の決定）
次に、図２０〜図２２に基づいて、優先度に基づいてメイン機器を決定する場合を説明する。なお、図２０および図２１は、優先度に基づきメイン機器に決定する処理を説明するための説明図である。図２２は、優先度に基づきメイン機器を決定する処理を示すフローチャートである。
【００８２】
本例では、立体画像システム１を構成する機器のうちメイン機器となり得る機器に対して、予めメイン機器として機能させる優先度を設定しておき、当該優先度に基づいてメイン機器を決定する。優先度は、ユーザによって決定され、例えば、使用頻度が高い機器の優先度が高くなるように決定することができる。
【００８３】
例えば、図２０に示す立体画像システム１において、メイン機器となり得る機器として、３Ｄテレビ（１００Ａ）、３Ｄ表示ＰＣ１（１００Ｂ）、３Ｄ表示ＰＣ２（１００Ｃ）および３Ｄプロジェクタ（１００Ｄ）があるとする。このとき、メイン機器として機能させる優先度が、３Ｄ表示ＰＣ２（１００Ｃ）、３Ｄ表示ＰＣ１（１００Ｂ）、３Ｄテレビ（１００Ａ）および３Ｄプロジェクタ（１００Ｄ）の順に設定されている。図２０では、優先度の最も高い３Ｄ表示ＰＣ２（１００Ｃ）がメイン機器として機能している。メイン機器である３Ｄ表示ＰＣ２（１００Ｃ）の電源がオフとなると、図２１に示すように、起動している機器のうち優先度の最大の３Ｄ表示ＰＣ１（１００Ｂ）が新たなメイン機器となり、立体画像システム１を構成する各機器に同期信号を送信するようになる。
【００８４】
具体的には、図２２に示すように、まず、立体画像システム１を構成する各機器のうちメイン機器となり得る機器は、予め設定された自身と優先度に関する優先度情報を他の機器へ送信し、他の機器の優先度情報を受信する（Ｓ２４０）。優先度はＹｎ（ｎは機器を識別するための番号）とし、優先度が高いほどその値は大きいものとする。
【００８５】
例えば、図２０においては、３Ｄテレビ（１００Ａ）、３Ｄ表示ＰＣ１（１００Ｂ）、３Ｄ表示ＰＣ２（１００Ｃ）および３Ｄプロジェクタ（１００Ｄ）の優先度をＹ１、Ｙ２、Ｙ３、Ｙ４とする。図２１において、メイン機器として機能していた３Ｄ表示ＰＣ２（１００Ｃ）の電源がオフになったとき、他のメイン機器として機能できる３Ｄテレビ（１００Ａ）、３Ｄ表示ＰＣ１（１００Ｂ）および３Ｄプロジェクタ（１００Ｄ）は、それぞれ自身の優先度Ｙ１、Ｙ２、Ｙ４を他の機器に送信するとともに、他の機器の優先度を受信する。
【００８６】
次いで、各機器は、自身の優先度と他の機器から受信した優先度とを比較して、自身の優先度が最大であるいか否かを判定する（Ｓ２４１）。例えば３Ｄテレビ（１００Ａ）は、自身の優先度Ｙ１が３Ｄ表示ＰＣ１（１００Ｂ）および３Ｄプロジェクタ（１００Ｄ）の優先度Ｙ２、Ｙ４より大きいか否かを判定する。そして、自身の優先度Ｙ１が最大のとき、３Ｄテレビ（１００Ａ）はメイン機器として機能することを決定し、メインフラグに「１」をセットする（Ｓ２４２）。一方、３Ｄテレビ（１００Ａ）より優先度の高い機器があるときには、自身はメイン機器としては機能せず、メインフラグに「０」をセットする（Ｓ２４３）。
【００８７】
このようにして、立体画像システム１において予め設定された優先度に基づいてメイン機器を決定し機能させることができる。なお、図２２の処理も、継続して繰り返し行ってもよく、メイン機器として機能していた立体映像表示装置１００からの同期信号が受信されなくなった場合に実行するようにしてもよい。
【００８８】
なお、上述した３つのメイン機器の決定処理を複数組み合わせて、１つのメイン機器を決定するようにしてもよい。例えば、上述した３つのメイン機器の決定処理を平等に考慮してもよく、３つをそれぞれ異なる重み付けて考慮してもよい。
【００８９】
以上、本実施形態に係る立体画像システム１の構成とその動作について説明した。かかる立体画像システム１は、当該システム１を構成する複数の立体映像表示装置１００と少なくとも１つのメガネ２００の表示タイミングあるいは開閉タイミングを同一の同期信号によって決定する。これにより、どのメガネ２００で立体映像表示装置１００に表示される映像を観賞しても、立体視することが可能となる。また、同期信号を生成して送信するトランスミッターとしての機能を有していなくとも、立体画像システム１を構成する機器のいずれかから同期信号を受信できれば、他の機器と同期して動作することができる。
【００９０】
また、各立体映像表示装置１００に表示されるコンテンツは異なるものであってもよい。例えば、同じ部屋に３Ｄテレビと３Ｄ表示ディスプレイを有するＰＣがあり、それぞれを観賞する人がいる場合、各人はテレビとＰＣのいずれの画面を見ても同期のとれた立体映像を観賞することができる。
【００９１】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９２】
なお、以下のような構成も本開示の技術的範囲に属する。
（１）
表示部に表示する映像データの右眼用映像および左眼用映像の表示タイミングを決定し、前記表示タイミングから他の立体映像表示装置および立体映像を見る際にユーザが装着する少なくとも１つの眼鏡を同期させる同期信号を生成する同期部と、
前記表示タイミングに基づいて、前記映像データの前記右眼用映像および前記左眼用映像を前記表示部に表示させる表示制御部と、
前記同期部により生成された同期信号を、他の前記立体映像表示装置および前記眼鏡に送信する送信部と、
を備える、立体映像表示装置。
（２）
前記同期信号を生成するメイン機器である他の前記立体映像表示装置または前記眼鏡から送信された同期信号を受信する受信部を備え、
前記同期部は、前記受信部により前記メイン機器からの前記同期信号を受信したか否かに基づいて、前記同期信号の生成および送信を制御する、前記（１）に記載の立体映像表示装置。
（３）
前記同期部は、前記受信部により前記同期信号が受信されたとき、受信した当該同期信号に基づいて、映像データの右眼用映像および左眼用映像の表示タイミングを決定し、当該表示タイミングを前記表示制御部に出力する、前記（２）に記載の立体映像表示装置。
（４）
前記同期部は、前記受信部により前記同期信号が受信されないとき、前記同期信号を生成させ、生成された前記同期信号に基づいて前記表示タイミングを決定して前記表示制御部に出力するとともに、前記送信部に前記同期信号を出力する、前記（２）または（３）に記載の立体映像表示装置。
（５）
前記同期信号を生成するメイン機器である他の前記立体映像表示装置または前記眼鏡から送信された同期信号を受信する受信部を備え、
前記メイン機器からの同期信号の受信がないとき、
前記送信部は、当該立体映像表示装置と通信中の前記眼鏡の数を通信可能な他の前記立体映像表示装置に対して送信し、
前記受信部は、前記他の立体映像表示装置から当該他の立体映像表示装置が通信中の前記眼鏡の数を受信し、
前記同期信号制御部は、前記眼鏡の数が前記他の立体映像表示装置が通信中の前記眼鏡の数より多いとき、前記同期信号を生成する、前記（１）〜（４）のいずれか１項に記載の立体映像表示装置。
（６）
前記同期信号を生成するメイン機器である他の前記立体映像表示装置または前記眼鏡から送信された同期信号を受信する受信部を備え、
前記メイン機器からの同期信号の受信がないとき、
前記送信部は、前記メイン機器との距離を、前記メイン機器以外の前記立体映像表示装置および前記眼鏡へ送信し、
前記受信部は、前記メイン機器以外の前記立体映像表示装置および前記眼鏡から前記メイン機器との距離を受信し、
前記同期信号制御部は、前記メイン機器との距離が前記他の立体映像表示装置および前記眼鏡の前記メイン機器との距離より小さいとき、前記同期信号を生成する、前記（１）〜（５）のいずれか１項に記載の立体映像表示装置。
（７）
前記メイン機器との距離は、前記メイン機器から受信した前記同期信号の受信強度に基づいて決定される、前記（６）に記載の立体映像表示装置。
（８）
前記同期信号を生成するメイン機器である他の前記立体映像表示装置または前記眼鏡から送信された同期信号を受信する受信部を備え、
前記メイン機器からの同期信号の受信がないとき、
前記同期信号制御部は、予め設定された優先順位に基づいて、前記同期信号の生成および送信を行うか否かを判定する、前記（１）〜（７）のいずれか１項に記載の立体映像表示装置。
（９）
前記同期信号を生成するメイン機器である他の前記立体映像表示装置または前記眼鏡以外の、他の前記立体映像表示装置または前記眼鏡から送信された同期信号を受信可能な受信部を備え、
前記同期部は、前記受信部により前記メイン機器でない機器からの前記同期信号を受信したか否かに基づいて、前記同期信号の生成および送信を制御する、前記（１）に記載の立体映像表示装置。
（１０）
他の前記立体映像表示装置および前記眼鏡のうち少なくともいずれか１つと、双方向に送受信可能である、前記（２）〜（９）のいずれか１項に記載の立体映像表示装置。
（１１）
立体映像を表示可能な立体映像表示装置と、前記各立体映像表示装置により表示される立体映像を見る際にユーザが装着するシャッター方式の眼鏡との同期を取る同期信号を生成するメイン機器から同期信号を受信する受信部と、
前記同期信号に基づいて、右眼用シャッターおよび前記左眼用シャッターの開閉タイミングを制御するシャッター制御部と、
を備える、眼鏡。
（１２）
前記同期信号を生成する同期部と、
前記同期信号を他の前記立体映像表示装置および前記眼鏡に送信する送信部と、
をさらに備える、前記（１１）に記載の眼鏡。
（１３）
前記同期部は、前記受信部により前記メイン機器からの前記同期信号を受信したか否かに基づいて、前記同期信号の生成および送信を制御する、前記（１２）に記載の眼鏡。
（１４）
前記同期部は、前記受信部により前記同期信号が受信されたとき、受信した当該同期信号に基づいて、前記右眼用シャッターおよび前記左眼用シャッターの開閉タイミングを決定し、当該開閉タイミングを前記シャッター制御部に出力する、前記（１３）に記載の眼鏡。
（１５）
前記同期部は、前記受信部により前記同期信号が受信されないとき、前記同期信号生成部に対して前記同期信号を生成させ、生成された前記同期信号に基づいて前記開閉タイミングを決定して前記シャッター制御部に出力するとともに、前記送信部に前記同期信号を出力する、前記（１３）または（１４）に記載の眼鏡。
（１６）
前記受信部は、前記メイン機器以外の他の前記立体映像表示装置または前記眼鏡から送信される同期信号も受信可能である、請求項（１１）〜（１５）のいずれか１項に記載の眼鏡。
【符号の説明】
【００９３】
１        立体画像システム
１００    立体映像表示装置
１１０    受信部
１２０    同期信号制御／生成部
１３０    表示制御部
１４０    表示部
１５０    送信部
２００    メガネ
２１０    受信部
２２０    シャッター制御部
２３０    右眼用シャッター
２４０    左眼用シャッター
２５０    同期信号制御／生成部
２６０    送信部
【図１】
2013157850.tif 000003
【図２】
2013157850.tif 000004
【図３】
2013157850.tif 000005
【図４】
2013157850.tif 000006
【図５】
2013157850.tif 000007
【図６】
2013157850.tif 000008
【図７】
2013157850.tif 000009
【図８】
2013157850.tif 000010
【図９】
2013157850.tif 000011
【図１０】
2013157850.tif 000012
【図１１】
2013157850.tif 000013
【図１２】
2013157850.tif 000014
【図１３】
2013157850.tif 000015
【図１４】
2013157850.tif 000016
【図１５】
2013157850.tif 000017
【図１６】
2013157850.tif 000018
【図１７】
2013157850.tif 000019
【図１８】
2013157850.tif 000020
【図１９】
2013157850.tif 000021
【図２０】
2013157850.tif 000022
【図２１】
2013157850.tif 000023
【図２２】
2013157850.tif 000024